(57)【要約】【課題】ペンタダハミラーの一部に集光性を有するファインダー光学系において、偏心収差を補正するための回転非対称面を有するペンタダハミラー及び接眼レンズの相対位置を精度良く決める仕組みを提供する。【解決手段】ファインダー光学系は、第１ミラー８及び集光性を有する第２ミラー９により構成されるペンタダハミラーと、接眼レンズ群１０と、ペンタダハミラー及び接眼レンズ群１０を保持する保持部材１１とを備える。第１ミラー８は、レンズ鏡筒を通過してミラーユニットで反射した被写体像の光束を第２ミラー９側に反射し、第２ミラー９は、第１ミラー８で反射した光束を接眼レンズ群１０側に反射する。接眼レンズ群１０の第２ミラー９に最も近い接眼レンズ１０ａ及び第２ミラー９は、回転非対称面を有する。第２ミラー９は、保持部材１１と一体に成形された後に反射面９ｅが形成され、第１ミラー８は、保持部材１１及び第２ミラー８に取り付けられ、接眼レンズ１０ａは、保持部材１１に取り付けられる。【選択図】図５
2014095864.tif 000002
【特許請求の範囲】
【請求項１】
第１ミラー及び集光性を有する第２ミラーにより構成されるペンタダハミラーと、接眼レンズ群とを備え、前記第１ミラーは、レンズ鏡筒を通過してミラーユニットで反射した被写体像の光束を前記第２ミラーの側に反射し、前記第２ミラーは、前記第１ミラーで反射した光束を前記接眼レンズ群の側に反射するファインダー光学系であって、
前記接眼レンズ群を構成する複数の接眼レンズのうち、前記第２ミラーに最も近い接眼レンズ、及び前記第２ミラーは、回転非対称面を有し、
前記第２ミラーは、前記第１ミラーに第１位置決め手段を介して取り付けられ、前記接眼レンズは、前記第１ミラーに第２位置決め手段を介して取り付けられる、ことを特徴とするファインダー光学系。
【請求項２】
前記第１位置決め手段は、前記第１ミラーに対する前記第２ミラーの取付面と直交する第１方向、前記第１方向と直交する第２方向、及び前記第１方向に直交し、かつ前記第２方向に直交する第３方向に前記第１ミラーと前記第２ミラーを位置決めする、ことを特徴とする請求項１に記載のファインダー光学系。
【請求項３】
前記第２位置決め手段は、前記第１ミラーに対する前記接眼レンズの取付面と直交する第４方向、前記第４方向と直交する第５方向、及び前記第４方向に直交し、かつ前記第５方向に直交する第６方向に前記第１ミラーと前記接眼レンズを位置決めする、ことを特徴とする請求項１又は２に記載のファインダー光学系。
【請求項４】
第１ミラー及び集光性を有する第２ミラーにより構成されるペンタダハミラーと、接眼レンズ群と、前記ペンタダハミラー及び前記接眼レンズ群を保持する保持部材とを備え、  前記第１ミラーは、レンズ鏡筒を通過してミラーユニットで反射した被写体像の光束を前記第２ミラーの側に反射し、前記第２ミラーは、前記第１ミラーで反射した光束を前記接眼レンズ群の側に反射するファインダー光学系であって、
前記接眼レンズ群を構成する複数の接眼レンズのうち、前記第２ミラーに最も近い接眼レンズ、及び前記第２ミラーは、回転非対称面を有し、
前記第２ミラーは、前記保持部材と一体に成形された後に反射面が形成され、前記第１ミラーは、前記保持部材及び前記第２ミラーに取り付けられ、前記接眼レンズは、前記保持部材に取り付けられる、ことを特徴とするファインダー光学系。
【請求項５】
ファインダー光学系を備える撮像装置であって、
前記ファインダー光学系として、請求項１乃至４のいずれか一項に記載のファインダー光学系を備えることを特徴とする撮像装置。
【発明の詳細な説明】
【技術分野】
【０００１】
本発明は、例えばデジタル一眼レフカメラ等の撮像装置に関し、特にファインダー光学系の改良に関する。
【背景技術】
【０００２】
デジタル一眼レフカメラ等の撮像装置では、撮影レンズを通過して焦点板に結像した被写体像をファインダー光学系を介して観察することができる。このファインダー光学系は、焦点板に結像した被写体像をペンタプリズム等の像反転手段を介して正立像とした後、接眼レンズによって拡大する。
【０００３】
また、近年では、カメラの軽量化及び低コスト化のため、前述した像反転手段としてペンタプリズムに代えてペンタダハミラーを用いたファインダー光学系が知られている。
【０００４】
しかし、ペンタダハミラーを用いたファインダー光学系では、ペンタプリズムを用いたファインダー光学系に比べ、空気換算光路長が長くなり、観察倍率を大きくすることが難しい。
【０００５】
そこで、ペンタダハミラーの一部に集光性を持たせることで、観察倍率を高める技術が提案されている（特許文献１）。この提案では、ペンタダハミラー、及びペンタダハミラーに最も近い接眼レンズに回転非対称面を設けることで、集光性を持つミラーによる偏心収差を補正するようにしている。これにより、ペンタダハミラーを用いたファインダー光学系においても、観察倍率が大きく、良好な被写体像を観察できるとしている。
【０００６】
一方、ファインダー光学系の保持構造として、同一部材でペンタプリズムやペンタダハミラー、及び複数枚の接眼レンズを保持することで、接眼レンズ同士の光軸のずれを防止する技術が提案されている（特許文献２）。
【先行技術文献】
【特許文献】
【０００７】
【特許文献１】特開２００８−０１５４７５号公報
【特許文献２】特開２００６−２０１４５６号公報
【発明の概要】
【発明が解決しようとする課題】
【０００８】
ところで、上記特許文献２に開示されるファインダー光学系では、ペンタプリズムもしくはペンタダハミラーの反射面は平面ミラーであるため、接眼レンズとの相対位置は、光路方向にのみ精度良く決まれば良い。したがって、上記特許文献２では、ペンタプリズムもしくはペンタダハミラーと接眼レンズの相対位置については言及されていない。
【０００９】
しかし、上記特許文献１に開示されるファインダー光学系では、偏心収差を補正するためには、回転非対称面を設けたペンタダハミラー及び接眼レンズの相対位置を光路方向及び左右上下方向に精度良く決める必要がある。
【００１０】
そこで、本発明は、ペンタダハミラーの一部に集光性を有するファインダー光学系において、偏心収差を補正するための回転非対称面を有するペンタダハミラー及び接眼レンズの相対位置を精度良く決める仕組みを提供することを目的とする。
【課題を解決するための手段】
【００１１】
上記目的を達成するために、本発明は、第１ミラー及び集光性を有する第２ミラーにより構成されるペンタダハミラーと、接眼レンズ群とを備え、前記第１ミラーは、レンズ鏡筒を通過してミラーユニットで反射した被写体像の光束を前記第２ミラーの側に反射し、前記第２ミラーは、前記第１ミラーで反射した光束を前記接眼レンズ群の側に反射するファインダー光学系であって、前記接眼レンズ群を構成する複数の接眼レンズのうち、前記第２ミラーに最も近い接眼レンズ、及び前記第２ミラーは、回転非対称面を有し、前記第２ミラーは、前記第１ミラーに第１位置決め手段を介して取り付けられ、前記接眼レンズは、前記第１ミラーに第２位置決め手段を介して取り付けられる、ことを特徴とする。
【００１２】
本発明は、第１ミラー及び集光性を有する第２ミラーにより構成されるペンタダハミラーと、接眼レンズ群と、前記ペンタダハミラー及び前記接眼レンズ群を保持する保持部材とを備え、前記第１ミラーは、レンズ鏡筒を通過してミラーユニットで反射した被写体像の光束を前記第２ミラーの側に反射し、前記第２ミラーは、前記第１ミラーで反射した光束を前記接眼レンズ群の側に反射するファインダー光学系であって、前記接眼レンズ群を構成する複数の接眼レンズのうち、前記第２ミラーに最も近い接眼レンズ、及び前記第２ミラーは、回転非対称面を有し、前記第２ミラーは、前記保持部材と一体に成形された後に反射面が形成され、前記第１ミラーは、前記保持部材及び前記第２ミラーに取り付けられ、前記接眼レンズは、前記保持部材に取り付けられる、ことを特徴とする。
【発明の効果】
【００１３】
本発明によれば、ペンタダハミラーの一部に集光性を有するファインダー光学系において、偏心収差を補正するための回転非対称面を有するペンタダハミラー及び接眼レンズの相対位置を精度良く決めることが可能となる。
【図面の簡単な説明】
【００１４】
【図１】本発明のファインダー光学系を備える撮像装置の第１の実施形態であるデジタル一眼レフカメラの概略断面図である。
【図２】ファインダー光学系の分解斜視図である。
【図３】（ａ）は第１ミラーにおける第２ミラーの取付面をｚ′方向から見た図、（ｂ）は第２ミラーにおける第１ミラーへの取付面をｚ′方向から見た図である。
【図４】（ａ）は第１ミラーにおける接眼レンズの取付面をｚ方向から見た図、（ｂ）は接眼レンズにおける第１ミラーへの取付面をｚ方向から見た図である。
【図５】本発明のファインダー光学系を備える撮像装置の第２の実施形態であるデジタル一眼レフカメラにおける、ファインダー光学系の分解斜視図である。
【発明を実施するための形態】
【００１５】
以下、本発明の実施形態を図面を参照して説明する。
【００１６】
（第１の実施形態）
図１は、本発明のファインダー光学系を備える撮像装置の第１の実施形態であるデジタル一眼レフカメラの概略断面図である。
【００１７】
本実施形態のデジタル一眼レフカメラは、カメラ本体１と、カメラ本体１に対して交換可能に取り付けられるレンズ鏡筒２とを備える。カメラ本体１には、ミラーユニット３、シャッタ４、ＣＣＤセンサやＣＭＯＳセンサ等の撮像素子５、及びファインダー光学系等が設けられる。
【００１８】
ミラーユニット３は、回動動作により、ファインダー観察時に、撮影光路内に進入して被写体光束をファインダー光学系に導くミラーダウン状態となり、撮影時に、撮影光路から退避して被写体光束を撮像素子５に導くミラーアップ状態になる。
【００１９】
ファインダー光学系は、焦点検出板６、視野枠７、第１ミラー８、第２ミラー９、接眼レンズ群１０、及び後述する保持部材１１（図２参照）を有し、第１ミラー８及び第２ミラー９により、像反転手段としてのペンタダハミラーを構成している。
【００２０】
焦点検出板６には、レンズ鏡筒２の撮影光学系を通過してミラーダウン状態のミラーユニット３で反射した被写体像の光束が一次結像される。視野枠７は、焦点検出板６の近傍に配置され、焦点検出板６に結像した被写体像の周辺部を遮光することで、撮影者に対して撮像素子５で撮像される領域を観察させる。
【００２１】
第１ミラー８は、屋根型形状とされ、焦点検出板６に結像した被写体像の光束を第２ミラー９の側に反射させる。第２ミラー９は、第１ミラー８で反射した光束を接眼レンズ群１０の側に反射させる。ここで、第２ミラー８は、集光性を有しており、また、集光性を有することによる偏心収差を補正するため、回転非対称面とされている。
【００２２】
接眼レンズ群１０は、焦点検出板６に結像した被写体像を拡大して観察するための光学系である。接眼レンズ群１０を構成する複数の接眼レンズのうち、第２ミラー９に最も近い接眼レンズ１０ａの片面もしくは両面は、上述した第２ミラー９の集光性による偏心収差の補正のため、回転非対称面とされている。撮影者は、焦点検出板６に結像した被写体像を第１ミラー８、第２ミラー９及び接眼レンズ群１０を通して正立正像として視認することができる。
【００２３】
図２は、ファインダー光学系の分解斜視図である。本実施形態では、第２ミラー９は、保持部材１１と別体とされ、第２ミラー９及び接眼レンズ１０ａは、第１ミラー８に取り付けられる。
【００２４】
ここで、図１及び図２において、ｙ′方向は、第１ミラー８に対する第２ミラー９の取付面と平行な方向、ｚ′方向は、第１ミラー８に対する第２ミラー９の取付面と直交する方向である。また、ｘ方向は、カメラ本体１の幅方向、ｙ方向は、カメラ本体１の高さ方向、ｚ方向は、カメラ本体１の厚さ方向（光軸方向）である。ｚ′方向は、ｚ方向に対してカメラ本体１の上方に傾斜し、ｙ′方向は、ｙ方向に対してカメラ本体１の被写体側に傾斜している。
【００２５】
図３（ａ）は第１ミラー８における第２ミラー９の取付面８１をｚ′方向から見た図、図３（ｂ）は第２ミラー９における第１ミラー８への取付面９１をｚ′方向から見た図である。
【００２６】
図３（ａ）に示すように、第１ミラー８における第２ミラー９の取付面８１のｙ′方向の上部には、ｚ′方向に突出する庇部８ｂがｘ方向に沿って形成され、庇部８ｂの一部には、凹部８ａが形成されている。また、第１ミラー８における第２ミラー９の取付面８１のｘ方向の両側部には、ｘ方向に互いに離れる方向に突出する一対の凸部８ｃが形成されている。
【００２７】
一方、図３（ｂ）に示すように、第２ミラー９のｙ′方向の上部には、第１ミラー８の凹部８ａに対してｚ′方向に嵌合される凸部９ａが形成されている。第１ミラー８の凹部８ａに第２ミラー９の凸部９ａが嵌合されることで、第１ミラー８と第２ミラー９とのｘ方向の位置決めがなされる。
【００２８】
第２ミラー９のｙ′方向の上部には、凹部８ａに凸部９ａが嵌合された状態で、庇部８ｂの下面に対してｙ′方向に当接する一対の平面部９ｂがｘ方向に互いに離間して設けられている。また、第２ミラー９のｘ方向の両側部には、凹部８ａに凸部９ａが嵌合された状態で、第１ミラー８の一対の凸部８ｃに対してｚ′方向に嵌合される一対の溝部９ｃが形成されている。凸部８ｃに溝部９ｃが嵌合された状態では、凸部８ｃの上面が溝部９ｃの上側の内壁面に対してｙ′方向に当接する。
【００２９】
そして、凸部８ｃの上面が溝部９ｃの上側の内壁面に対してｙ′方向に当接するとともに、庇部８ｂの下面に平面部９ｂがｙ′方向に当接することで、第１ミラー８と第２ミラー９とのｙ′方向の位置決めがなされる。
【００３０】
また、凹部８ａに凸部９ａが嵌合され、かつ凸部８ｃに溝部９ｃが嵌合された状態で、第１ミラー８に設けられた平面部８ｄが第２ミラー９に設けられた平面部９ｄにｚ′方向に当接することで、第１ミラー８と第２ミラー９のｚ′方向の位置決めがなされる。このように、第１ミラー８と第２ミラー９のｘ，ｙ′，ｚ′方向の位置決めがされた状態で、第１ミラー８と第２ミラー９とを接着等で固定する。
【００３１】
ここで、凹部８ａ、庇部８ｂ、凸部８ｃ、平面部８ｄ、凸部９ａ、平面部９ｂ、溝部９ｃ、及び平面部９ｄは、本発明の第１位置決め手段の一例に相当する。また、ｚ′方向は、本発明の第１方向の一例に相当し、ｙ方向は、本発明の第２方向の一例に相当し、ｘ方向は、本発明の第３方向の一例に相当する。
【００３２】
図４（ａ）は第１ミラー８における接眼レンズ１０ａの取付面８２をｚ方向から見た図、図４（ｂ）は接眼レンズ１０ａにおける第１ミラー８への取付面１０１をｚ方向から見た図である。
【００３３】
図２及び図４（ａ）に示すように、第１ミラー８における接眼レンズ１０ａの取付面８２の上部には、ｚ方向に突出する一対の軸部８ｄがｘ方向に互いに離間して設けられている。一対の軸部８ｄのうち、図４（ａ）の右側の軸部８ｄの基部には、平面部８ｆを有する段差部が形成されている。また、第１ミラー８における接眼レンズ１０ａの取付面８２の下部には、一対の平面凸部８ｅがｘ方向に互いに離間して設けられている。平面凸部８ｅは、段差部の平面部８ｆと同一高さとされている。
【００３４】
一方、図４（ｂ）に示すように、接眼レンズ１０ａにおける第１ミラー８への取付面１０１の上部には、第１ミラー８の一対の軸部８ｄに嵌合される一対の穴部１０ｃが形成されている。一対の軸部８ｄに一対の穴部１０ｃが嵌合されることで、第１ミラー８と接眼レンズ１０ａのｘ，ｙ方向の位置決めがなされる。
【００３５】
また、一対の軸部８ｄに一対の穴部１０ｃが嵌合された状態で、第１ミラー８の平面部８ｆ、及び平面凸部８ｅに接眼レンズ１０ａの平面部１０ｄ、及び平面部１０ｂがｚ方向に当接することで、第１ミラー８と接眼レンズ１０ａのｚ方向の位置決めがなされる。
【００３６】
ここで、軸部８ｄ、平面部８ｆ、平面凸部８ｅ、穴部１０ｃ、平面部１０ｄ、及び平面部１０ｂは、本発明の第２位置決め手段の一例に相当する。また、ｚ方向は、本発明の第４方向の一例に相当し、ｙ方向は、本発明の第５方向の一例に相当し、ｘ方向は、本発明の第６方向の一例に相当し、本実施形態では、第６方向と第３方向は、一致している。
【００３７】
そして、第２ミラー９及び接眼レンズ１０ａを保持した第１ミラー８を、視野枠７が取り付けられた保持部材１１に取り付け、さらには接眼レンズ群１０の接眼レンズ１０ａ以外の接眼レンズや焦点検出板６を保持部材１１に取り付ける。これにより、保持部材１１に焦点検出板６、視野枠７、第１ミラー８、第２ミラー９、及び接眼レンズ群１０が保持される。
【００３８】
その後、保持部材１１は、レンズ鏡筒２の光軸とファインダー光軸を合わせる調整や予定結像面と焦点検出板６の位置を合わせる調整が行われた後、ミラーユニット３を保持する不図示の前板等に結合される。
【００３９】
以上説明したように、本実施形態では、第１ミラー８と第２ミラー９とを高精度で位置決めし、第１ミラー８と接眼レンズ１０ａとを高精度で位置決めすることができる。これにより、ペンタダハミラーの一部に集光性を有するファインダー光学系において、偏心収差を補正するための回転非対称面を有するペンタダハミラー及び接眼レンズの相対位置を精度良く決めることが可能となる。この結果、観察倍率が大きく、良好な被写体像を観察することが可能となる。
【００４０】
（第２の実施形態）
次に、図５を参照して、本発明のファインダー光学系を備える撮像装置の第２の実施形態であるデジタル一眼レフカメラについて説明する。なお、本実施形態では、上記第１の実施形態に対してファインダー光学系の保持構造が相違するだけであるため、上記第１の実施形態の符号を流用しつつ相違点についてのみ説明する。
【００４１】
図５は、ファインダー光学系の分解斜視図である。図５に示すように、本実施形態では、第２ミラー９は、保持部材１１と一体に成形され、成型後に、反射面に対応する面にアルミ蒸着等が施されて、反射面９ｅが形成される。
【００４２】
接眼レンズ１０ａは、図２のｘ，ｙ，ｚ方向において、保持部材１１と一体成形された第２ミラー９との相対位置が精度良く決まるように保持部材１１に対して穴と軸からなる嵌合等で位置決めされ、この状態で接着等で保持部材１１に固定される。その後、視野枠７が保持部材１１に取り付けられるとともに、第１ミラー８が第２ミラー９及び保持部材１１に取り付けられ、さらには焦点検出板６及び接眼レンズ群１０の接眼レンズ１０ａ以外の接眼レンズが保持部材１１に取り付けられる。その他の構成、及び作用効果は、上記第１の実施形態と同様である。
【００４３】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００４４】
８    第１ミラー
９    第２ミラー
９ｅ  反射面
１０  接眼レンズ群
１０ａ  接眼レンズ
１１  保持部材
【図１】
2014095864.tif 000003
【図２】
2014095864.tif 000004
【図３】
2014095864.tif 000005
【図４】
2014095864.tif 000006
【図５】
2014095864.tif 000007